(57)【要約】【課題】送風性能の高効率化と騒音の抑制を達成しながら、小型の送風機を提供する。【解決手段】吸込口と吐出口を形成し、内部に多翼ファン４を内蔵するスクロールケーシング１を備え、スクロールケーシング１の外郭のうち、舌部２と連続する第１外郭部３−１のスクロール形状を所定の拡大角Ａによって形成され、連続する第２外郭部３−２のスクロールの拡大角Ｂが、Ａ＞Ｂの関係を有して、連続する第３外郭部３−３のスクロールが直線となる。【選択図】図１
2008267242.tif 000002
【特許請求の範囲】
【請求項１】
吸込口と吐出口を形成し、内部に多翼ファンを内蔵するスクロールケーシングを備え、前記スクロールケーシングの外郭のうち、舌部と連続する第１外郭部のスクロール形状を所定の拡大角Ａによって形成され、連続する第２外郭部のスクロールの拡大角Ｂが、Ａ＞Ｂの関係を有して、連続する第３外郭部のスクロールが直線となることを特徴とする送風機。
【請求項２】
第３外郭部を、本体を構成する筐体の幅方向あるいは高さ方向に平行になるように配置したことを特徴とする請求項１記載の送風機。
【請求項３】
第３外郭部のスクロールが直線で、第４外郭部のスクロールの拡大角Ｃ、第５外郭部のスクロールの拡大角Ｄが、Ｃ＞Ｄの関係を有して、連続する第６外郭部のスクロールが直線となり、前記第３外郭部のスクロールが直線と概略垂直の関係になるように配置したことを特徴とする請求項１または２記載の送風機。
【請求項４】
第６外郭部のスクロールが直線で、第７外郭部のスクロールの拡大角Ｅ、第８外郭部のスクロールの拡大角Ｆが、Ｅ＞Ｆの関係を有して、連続する第７外郭部のスクロールが直線となり、前記第６外郭部のスクロールが直線と概略垂直の関係になるように配置したことを特徴とする請求項１から３のうちいずれか一項記載の送風機。
【発明の詳細な説明】
【技術分野】
【０００１】
本発明は、空気調和機の室内機等に使用される送風機に関するものである。
【背景技術】
【０００２】
従来、送風機は、高効率化、コンパクト化、それから発生する騒音の抑制が求められ、その構成は、図５に示されるものが一般的であった。以下、その構成について同図を参照しながら説明する（例えば、特許文献１参照）。
【０００３】
図５は従来の送風機を取り付けた機器の断面を示す図で、スクロールケーシング１内の舌部２と連続する第１外郭部３ａを一定半径で形成し、スクロールケーシング１に内蔵された多翼ファン４と同心円状に配置して、第１外郭部３ａの終点に連続するとともに下流側に形成された第２外郭部３ｂに、所定の拡大角を設け、多翼ファン４の中心５からの距離ａが連続的に大きくなっている。また、スクロールケーシング１の舌部２と連続する第１外郭部３ａとの境目を接合部Ｊ１とし、連続する第１外郭部３ａと第２外郭部３ｂとの境目を接合部Ｊ２として、接合部Ｊ１と多翼ファン４との距離Ｄ１、接合部Ｊ２と多翼ファン４との距離Ｄ２とした場合、Ｄ１＝Ｄ２となり、接合部Ｊ２が送風機を搭載した機器の本体において、最下端を規定するスクロールの方向である。
【０００４】
スクロールケーシング１の舌部２近傍においては、スクロールケーシング１内部の圧力が低く、吸込口６から吸込む風量が少ないため、第１外郭部３ａに拡大角を設けず、一定の半径で構成しても、送風機としての性能にはほとんど影響を与えることが無い。
【０００５】
以上のように、第１外郭部３ａで拡大角を設けず、一定の半径で構成しても、送風機の性能にほとんど影響を与えず、ケーシング１の高さを低くする事ができる。
【特許文献１】特開２００６−２３３８３５号公報
【発明の開示】
【発明が解決しようとする課題】
【０００６】
しかしながら、上記従来の構成では、さらにサイズをコンパクト化する時に、単純に寸法を小さくしたのでは風量性能が低下する。また、吸込み部の抵抗が大きい場合に、風量低下と騒音上昇を招いてしまうという課題を有している。
【０００７】
本発明はこのような従来の課題を解決するものであり、高効率で、騒音低減が図れ、さらに小型の送風機を提供することを目的とするものである。
【課題を解決するための手段】
【０００８】
上記課題を解決するために本発明は、吸込口と吐出口を形成し、内部に多翼ファンを内蔵するスクロールケーシングを備え、前記スクロールケーシングの外郭のうち、舌部と連続する第１外郭部のスクロール形状を所定の拡大角Ａによって形成され、連続する第２外郭部のスクロールの拡大角Ｂが、Ａ＞Ｂの関係を有して、連続する第３外郭部のスクロールが直線とするもので、舌部近傍からの吸込み流れを促進させて、風量性能を向上させることができ、スクロール部に直線部を設けることにより、本体のサイズを小さくすることができる。また、乱れが抑制され、低騒音化と効率向上を図ることができる。
【発明の効果】
【０００９】
本発明の送風機は、小型化した上で、高効率、および騒音低減を図ることができる。
【発明を実施するための最良の形態】
【００１０】
第１の発明は、吸込口と吐出口を形成し、内部に多翼ファンを内蔵するスクロールケーシングを備え、前記スクロールケーシングの外郭の内、舌部と連続する第１外郭部のスクロール形状を所定の拡大角Ａによって形成され、連続する第２外郭部のスクロールの拡大角Ｂが、Ａ＞Ｂの関係を有して、連続する第３外郭部のスクロールが直線とする。
【００１１】
これにより、舌部近傍からの吸込み流れを促進させて、風量性能を向上させることができる。また、スクロール部に直線部を設けることにより、本体のサイズを小さくすることができる。また、第２外郭部のスクロールの拡大角Ｂが、第１外郭部のスクロールの拡大角Ａより小さくして、第３外郭部のスクロール部にが直線に繋げることにより、乱れが抑制され、低騒音化と効率向上を図ることができる。
【００１２】
第２の発明は、前項記載の第３外郭部のスクロールが直線で、本体を構成する筐体の幅方向あるいは高さ方向に平行になるように配置する。これによって、本体を幅方向あるいは高方向にコンパクト化することができる。
【００１３】
第３の発明は、第３外郭部のスクロールが直線で、第４外郭部のスクロールの拡大角Ｃ、第５外郭部のスクロールの拡大角Ｄが、Ｃ＞Ｄの関係を有して、連続する第６外郭部のスクロールが直線となり、前記第３外郭部のスクロールが直線と概略垂直の関係になるように配置する。これによって、本体の幅方向と高さ方向の両者のコンパクト化を図ることができる。
【００１４】
また、第５外郭部３−５のスクロールの拡大角Ｄが、第４外郭部のスクロールの拡大角Ｃより小さくして、第５外郭部３−５のスクロール部にが直線部を繋げることにより、流路が縮小され静圧が向上して、乱れの抑制、低騒音化と効率向上を図ることができる。
【００１５】
第４の発明は、第６外郭部のスクロールが直線で、第７外郭部のスクロールの拡大角Ｅ、第８外郭部のスクロールの拡大角Ｆが、Ｅ＞Ｆの関係を有して、連続する第７外郭部のスクロールが直線となり、前記第６外郭部のスクロールが直線と概略垂直の関係になるように配置する。また、第９外郭部３−９の直線部が、第３外郭部３−３の直線部と概略平行となるように配置され、本体の幅方向または高さ方向のコンパクト化を図ることができる。
【００１６】
また、第８外郭部３−８のスクロールの拡大角Ｆが、第７外郭部のスクロールの拡大角Ｅより小さくして、第８外郭部３−８のスクロール部に直線部を繋げることにより、流路が縮小され静圧が向上して、乱れの抑制、低騒音化と効率向上を図ることができる。
【００１７】
（実施の形態１）
以下に、本発明の第１の実施例について図１を用いて説明する。なお、上記従来例と同一部分については、同一符号、名称を用いて、その説明を省略する。
【００１８】
図１は、本発明の実施の形態１における送風機の断面図である。図１にいて、スクロールケーシング１内の舌部２と連続する第１外郭部３−１を一定半径で形成し、第１外郭部３−１の始点Ｊ１、多翼ファン４との距離Ｄ１、第１外郭部３−１の終点Ｊ２、多翼ファン４との距離Ｄ２、Ｊ１とＪ２をファンセンタＣから見た角度α３−１として、拡大角Ａを、Ａ＝（Ｄ２−Ｄ１）／α３−１と定義する。第２外郭部３−２の始点Ｊ２、多翼ファン４との距離Ｄ２、第２外郭部３−２の終点Ｊ３、多翼ファン４との距離Ｄ３、Ｊ２とＪ３をファンセンタＣから見た角度α３−２として、拡大角Ｂを、Ｂ＝（Ｄ３−Ｄ２）／α３−２と定義する。このときＡ＞Ｂの関係が成立する。さらに、第３外郭部３−３が、直線を有する。
【００１９】
上記構成によれば、舌部２の近傍からの吸込み流れを促進させて、風量性能を向上させることができる。また、スクロール部に直線部（第３外郭部３−３）を設けることにより、本体のサイズを小さくすることができる。また、第２外郭部３−２のスクロールの拡大角Ｂが、第１外郭部のスクロールの拡大角Ａより小さくして、第３外郭部３−３のスクロール部に直線部を繋げることにより、流路が縮小され静圧が向上して、乱れの抑制、低騒音化と効率向上を図ることができる。
【００２０】
（実施の形態２）
以下に、本発明の第２の実施例について図２を用いて説明する。図２は、実施の形態２における送風機を備えた機器の断面図である。本実施例の送風機を取り付けた機器の筐体５の１個以上の壁面が、スクロール部の直線部である第３外郭部３−３が平行になるように配置されている。このような配置によって本体の１方向（例えば幅方向）をコンパクト化することができる。
【００２１】
（実施の形態３）
以下に、本発明の第３の実施例について図３を用いて説明する。図３は、実施の形態３における送風機の断面図である。図３において、スクロールケーシング１内の第３外郭部３−３の直線部と接続する第４外郭部３−４の始点Ｊ４、多翼ファンとの距離Ｄ４、第４外郭部３−４の終点Ｊ５、多翼ファンとの距離Ｄ５、Ｊ４とＪ５をファンセンタから見た角度α３−４、として、拡大角Ｃを、Ｃ＝（Ｄ５−Ｄ４）／α３−４と定義する。第５外郭部３−５の始点Ｊ５、多翼ファンとの距離Ｄ５、第５外郭部３−５の終点Ｊ６、多翼ファンとの距離Ｄ６、Ｊ５とＪ６をファンセンタから見た角度α３−５、として、拡大角Ｄを、Ｄ＝（Ｄ６−Ｄ５）／α３−５と定義する。このときＣ＞Ｄの関係が成立する。さらに、第６外郭部３−６が、直線を有する。
【００２２】
このような構成は、第３外郭部のスクロールが直線で、第４外郭部のスクロールの拡大角Ｃ、第５外郭部のスクロールの拡大角Ｄが、Ｃ＞Ｄの関係を有して、連続する第６外郭部のスクロールが直線となり、前記第３外郭部のスクロールが直線と概略垂直の関係になるように配置する。これによって、本体の幅方向と高さ方向の両者のコンパクト化を図ることができる。また、第５外郭部３−５のスクロールの拡大角Ｄが、第４外郭部のスクロールの拡大角Ｃより小さくして、第５外郭部３−５のスクロール部にが直線部を繋げることにより、流路が縮小され静圧が向上して、乱れの抑制、低騒音化と効率向上を図ることができる。
【００２３】
（実施の形態４）
以下に、本発明の第４の実施例について図４を用いて説明する。図４は、実施の形態４における送風機の断面図である。図４において、スクロールケーシング１内の第６外郭部３−６の直線部と接続する第７外郭部３−７の始点Ｊ７、多翼ファンとの距離Ｄ７、第７外郭部３−７の終点Ｊ８、多翼ファンとの距離Ｄ８、Ｊ７とＪ８をファンセンタから見た角度α３−７、として、拡大角Ｅを、Ｅ＝（Ｄ８−Ｄ７）／α３−７と定義する。第８外郭部３−８の始点Ｊ８、多翼ファンとの距離Ｄ８、第８外郭部３−８の終点Ｊ９、多翼ファンとの距離Ｄ９、Ｊ８とＪ９をファンセンタから見た角度α８−９、として、拡大角Ｆを、Ｆ＝（Ｄ９−Ｄ８）／α３−８と定義する。このときＥ＞Ｆの関係が成立する。さらに、第９外郭部３−９が、直線を有する。また、第９外郭部３−９の直線部が、第３外郭部３−３の直線部と概略平行となる。
【００２４】
スクロール部に直線部（第３外郭部３−３）（第９外郭部３−９）を概略平行に配置することにより、本体のサイズを幅方向または高さ方向をより小さくすることができる。また、第８外郭部３−８のスクロールの拡大角Ｆが、第７外郭部のスクロールの拡大角Ｅよ
り小さくして、第８外郭部３−８のスクロール部に直線部を繋げることにより、流路が縮小され静圧が向上して、乱れの抑制、低騒音化と効率向上を図ることができる。
【産業上の利用可能性】
【００２５】
以上のように、本発明にかかる空気調和機は、本体サイズのコンパクト化と送風性能の向上が可能となる空気調和機に搭載されているシロッコファン（多翼遠心ファン）及びその送風路構成に適用できる。
【図面の簡単な説明】
【００２６】
【図１】本発明の実施の形態１における送風機の断面図
【図２】本発明の実施の形態２における送風機の断面図
【図３】本発明の実施の形態３における送風機の断面図
【図４】本発明の実施の形態４における送風機の断面図
【図５】従来の送風機の断面図
【符号の説明】
【００２７】
１  スクロールケーシング
２  舌部
３  外郭
３−１  第１外郭部
３−２  第２外郭部
３−３  第３外郭部
３−４  第４外郭部
３−５  第５外郭部
３−６  第６外郭部
３−７  第７外郭部
３−８  第８外郭部
４  多翼ファン
５  中心（ファン）
６  吸込口
７  機器の筐体
【図１】
2008267242.tif 000003
【図２】
2008267242.tif 000004
【図３】
2008267242.tif 000005
【図４】
2008267242.tif 000006
【図５】
2008267242.tif 000007